(57)【要約】【課題】人手でセンサータグのデータ測定を開始する場合と比べて、手間が少なく、確実に、妥当な精度の環境データを収集すること。【解決手段】複数のセンサータグを使用して測定データを収集する際に、測定対象エリア内に存在する、センサータグの数に応じてデータ測定させるセンサータグの数を変化させる。【選択図】図２
2008204202.tif 000002
【特許請求の範囲】
【請求項１】
複数のセンサータグを使用して測定データを収集するセンサータグ協調システムであって、
測定対象エリア内に存在する、センサータグの数に応じてデータ測定させるセンサータグの数を変化させることを特徴とするセンサータグ協調システム。
【請求項２】
複数のセンサータグを使用して測定データを収集するセンサータグ協調システムであって、
データを測定しているセンサータグの数に応じた測定パターンを適用することを特徴とするセンサータグ協調システム。
【請求項３】
エリア内にセンサータグが入ったことを検知して、エリア内に存在する、データを測定しているセンサータグ数を更新することを特徴とする請求項１または２記載のセンサータグ協調システム。
【請求項４】
エリアからセンサータグが出たことを検知して、エリア内に存在する、データを測定しているセンサータグ数を更新することを特徴とする請求項１から３のいずれか１項に記載のセンサータグ協調システム。
【請求項５】
エリア内のセンサータグがデータを測定しているかどうかを検知して、エリア内に存在する、データを測定しているセンサータグ数を更新することを特徴とする請求項１から４のいずれか１項に記載のセンサータグ協調システム。
【請求項６】
エリア内のセンサータグが故障したことを検知して、エリア内に存在する、データを測定しているセンサータグ数を更新することを特徴とする請求項１から５のいずれか１項に記載のセンサータグ協調システム。
【請求項７】
データ測定を行うセンサータグの上限に応じて、測定の開始、もしくは、停止を決定することを特徴とする請求項１から６のいずれか１項に記載のセンサータグ協調システム。
【請求項８】
データを測定しているセンサータグ数の変化に応じて、エリア内に存在するセンサータグの測定パターンを再度適用しなおすことを特徴とする請求項２から７のいずれか１項に記載のセンサータグ協調システム。
【請求項９】
複数のエリアを扱うことを特徴とする請求項１から８のいずれか１項に記載のセンサータグ協調システム。
【請求項１０】
複数のセンサータグを使用して測定データを収集するセンサータグ協調方法であって、
測定対象エリア内に存在する、センサータグの数に応じてデータ測定させるセンサータグの数を変化させることを特徴とするセンサータグ協調方法。
【請求項１１】
複数のセンサータグを使用して測定データを収集するセンサータグ協調方法であって、
データを測定しているセンサータグの数に応じた測定パターンを適用することを特徴とするセンサータグ協調方法。
【請求項１２】
エリア内にセンサータグが入ったことを検知して、エリア内に存在する、データを測定しているセンサータグ数を更新することを特徴とする請求項１０または１１記載のセンサータグ協調方法。
【請求項１３】
エリアからセンサータグが出たことを検知して、エリア内に存在する、データを測定しているセンサータグ数を更新することを特徴とする請求項１０から１２のいずれか１項に記載のセンサータグ協調方法。
【請求項１４】
エリア内のセンサータグがデータを測定しているかどうかを検知して、エリア内に存在する、データを測定しているセンサータグ数を更新することを特徴とする請求項１０から１３のいずれか１項に記載のセンサータグ協調方法。
【請求項１５】
エリア内のセンサータグが故障したことを検知して、エリア内に存在する、データを測定しているセンサータグ数を更新することを特徴とする請求項１０から１４のいずれか１項に記載のセンサータグ協調方法。
【請求項１６】
データ測定を行うセンサータグの上限に応じて、測定の開始、もしくは、停止を決定することを特徴とする請求項１０から１５のいずれか１項に記載のセンサータグ協調方法。
【請求項１７】
データを測定しているセンサータグ数の変化に応じて、エリア内に存在するセンサータグの測定パターンを再度適用しなおすことを特徴とする請求項１１から１６のいずれか１項に記載のセンサータグ協調方法。
【請求項１８】
複数のエリアを扱うことを特徴とする請求項１０から１７のいずれか１項に記載のセンサータグ協調方法。
【請求項１９】
コンピュータシステムに請求項１から９のいずれか１項に記載の機能を実現させることを特徴とするセンサータグ協調用プログラム。
【発明の詳細な説明】
【技術分野】
【０００１】
本発明は、測定対象エリア内に存在するセンサータグの数に応じて、センサータグのデータ測定方法を調整することで、測定を行うセンサータグの消費電力、および、使用メモリー量を低減させつつ、当該エリアに関する妥当な環境データを測定する技術に関する。
【背景技術】
【０００２】
従来のセンサータグは、内蔵するセンサー機能により測定対象エリアの環境データを測定し、内蔵するメモリーに測定データを格納することで、自律的に環境データを収集することができる。
【０００３】
センサー機能を内蔵しない従来のセンサータグもある。外部のセンサー機能により環境データを測定し、センサータグ制御装置がセンサータグに内蔵されたメモリーに測定データを格納することで、環境データを収集することができる。
【０００４】
メモリー機能を内蔵しない従来のセンサータグもある。内蔵するセンサー機能により環境データを測定し、センサータグ制御装置が測定した環境データの通知を受け、センサータグ制御装置内、もしくは、ネットワークに接続された環境データ格納装置内に、環境データを収集させることができる。
【０００５】
従来のセンサータグシステムの一例が、特許文献１、に記載されている。図１９に示すように、この従来のセンサータグシステムは、センサータグ２０００と、タグリーダー２２００とから構成されている。センサータグ２１００は、センサー２０１と、計測データ保存手段１０３とから構成されている。このような構成を有する従来のセンサータグシステムは次のように動作する。すなわち、センサー２０１が計測したデータを、定期的に、計測データ保存手段１０３に提供する。計測データ保存手段１０３は、時系列に計測データを保存する。タグリーダー２２００は計測データ保存手段１０３から、無線を使用して、計測データを取得することができる。例えば、温度センサーを内蔵した温度センサータグであれば、温度センサータグ周辺の温度を周期的に測定し、内部メモリーに保存することができる。タグリーダーからは、この温度センサーがどのような温度環境で保管されていたのかを示す時系列の計測データを取得することができる。
【０００６】
一方、従来の製品流通管理システムの一例が、特許文献２、に記載されている。図２０に示すように、この従来の製品流通管理システムは無線タグ３１００と、無線タグ処理装置３２００とから構成される。無線タグ３１００は、タグＩＤ保存手段１０１と、タグ情報広告手段１０２と、計測データ保存手段１０３とから構成される。無線タグ処理装置３２００は、センサー２０１と、タグ選択手段２０２と、計測データ提供手段２０４とから構成される。
【０００７】
また、従来のセンサネットのセンサー情報管理装置及びシステムの一例が、特許文献３、に記載されている。図２１に示すように、この従来のセンサネットのセンサー情報管理装置及びシステムは無線タグ４１００と、センサノード４２００と、管理ノード４３００とから構成される。無線タグ４１００はタグＩＤ保存手段１０１と、タグ情報広告手段１０２とから構成される。センサノード４２００は、センサー２０１と、タグ選択手段２０２と、計測データ提供手段２０４とから構成される。管理ノード４３００は、計測データ保存手段１０３から構成される。
【０００８】
このような構成を有する従来の製品流通管理システム、および、センサネットのセンサー情報管理装置及びシステムは次のように動作する。すなわち、タグ情報広告手段１０２からタグ選択手段２０２にタグＩＤを広告する（図２２ステップ１）。タグ選択手段２０２が、このタグにまつわる環境データの計測を行うと判定すると（ステップ２）、センサー２０１から取得した計測データを計測データ保存手段１０３に送信するよう、計測データ提供手段２０４に要求する（ステップ３）。計測データ提供手段２０４は、要求に応じて、計測データ保存手段１０３に計測データを送信する（ステップ４）。このとき、計測データ保存手段１０３は、無線タグ内にあっても、無線タグ外にあってもよい。このようにして、無線タグの外部にあるセンサーを利用できる構成をとる事により、従来のセンサータグシステムにおける使用可能なセンサーの制約を緩めることができる。
【０００９】
こうした、従来のセンサータグを複数同時に使用することで、測定対象エリアの環境データをそれぞれのセンサータグに収集させることができる。こうして収集された環境データを合成する、例えば平均値を取る、ことで、より正確な環境データを把握することができる。
【００１０】
また、センサータグ制御装置を複数同時に使用することで、測定対象エリアの環境データを収集する従来の技術がある。そのような技術の一例として、従来の閉空間における入場者移動予測システムが特許文献４に記載されている。この従来の入場者移動予測システムは、展示会会場内に設けられた複数の通路同士を接続する交差点には、夫々、方向認識センサが設置され、各方向認識センサは、方向認識データをホストコンピュータへ送信し、ホストコンピュータは、集積された方向認識データを分析することによって、各交差点に対して個々の通路からＩＣタグが入った場合における当該ＩＣタグが他の各通路へ出て行く確率である移動方向確率および何れかの交差点を通過したＩＣタグが単位時間内に隣接する他の各交差点まで到達しない確率である滞在確率を算出した後に、展示会会場内に存在する全ＩＣタグについて夫々単位時間経過後に存在しうる通路毎の存在確率を算出し、そして、各通路毎に、存在確率の総和として単位時間経過後に存在しうるＩＣタグの個数を算出することで、空間内の各場所における混雑状況の予測を可能にする。
【特許文献１】特開２００４−０１４４６８号公報
【特許文献２】特開２００４−２９２１４７号公報
【特許文献３】特開２００５−２８４３４１号公報
【特許文献４】特開２００６−１０６８７５号公報
【発明の開示】
【発明が解決しようとする課題】
【００１１】
しかしながら、常に複数のセンサータグが使える場合であっても、妥当な精度の環境データで十分な場合がある。例えば、１００個のセンサータグが使える場合であっても、５個のセンサータグから得られる環境データを合成すれば十分な場合がある。このような場合に、従来はどのセンサータグにどう環境データを測定させるかは、人間が人手で設定を行うしかなく、手間がかかる問題があった。また、人手による設定は設定間違いを誘発し、結果として、余計なセンサータグを使用し、そのセンサータグが合成時には無駄となる環境データを収集し、動作のための電力を無駄に消費したり、環境データを保存するメモリー量を無駄に消費したりする問題があった。
【００１２】
本発明は、以上説明した問題点を解決するためになされたものである。その目的は、人手でセンサータグのデータ測定を開始する場合と比べて、手間が少なく、確実に、妥当な精度の環境データを収集することである。
【課題を解決するための手段】
【００１３】
本発明は、複数のセンサータグを使用して測定データを収集するセンサータグ協調システムであって、
測定対象エリア内に存在する、センサータグの数に応じてデータ測定させるセンサータグの数を変化させるセンサータグ協調システムを提供する。
【００１４】
また、本発明は、複数のセンサータグを使用して測定データを収集するセンサータグ協調システムであって、
データを測定しているセンサータグの数に応じた測定パターンを適用するセンサータグ協調システムを提供する。
【００１５】
また、本発明は、複数のセンサータグを使用して測定データを収集するセンサータグ協調方法であって、
測定対象エリア内に存在する、センサータグの数に応じてデータ測定させるセンサータグの数を変化させるセンサータグ協調方法を提供する。
【００１６】
また、本発明は、複数のセンサータグを使用して測定データを収集するセンサータグ協調方法であって、
データを測定しているセンサータグの数に応じた測定パターンを適用するセンサータグ協調方法を提供する。
【発明の効果】
【００１７】
本発明によれば、人手でセンサータグのデータ測定を開始する場合と比べて、手間が少なく、確実に、妥当な精度の環境データを収集することができる。
【発明を実施するための最良の形態】
【００１８】
以下、本発明の第１の実施の形態について図面を参照して詳細に説明する。図１は本発明の第１の実施の形態の概念を説明する図である。
【００１９】
図２を参照すると、本発明の第１の実施の形態におけるセンサータグ協調システムは、センサータグ制御部１、エリア入退判定部１、エリア入退ルール管理部１、センサー制御判定部１、センサー制御ルール管理部１、および、測定状態管理部１から構成される。
【００２０】
これらの機能は、それぞれ概略次のように動作する。
センサータグ制御部１は、センサータグ制御装置（図示せず）を操作することで、センサータグの検知、および、制御を行う。センサータグ制御装置がセンサータグの出現を検知すると、検知したセンサータグ制御装置のＩＤ、検知種別、および、検知したセンサータグのＩＤをエリア入退管理部１に通知する。ここでは、検知種別は「出現」となる。センサータグの消失を検知した場合は、検知種別は「消失」となる。また、センサー制御判定部１からの要求に応じて、センサータグ制御装置を介して、センサータグのデータ測定開始、停止、および、センサータグからの環境データ収集を行う。
【００２１】
エリア入退判定部１は、対象エリアに対する、センサータグの入場、もしくは、退場を、センサー制御判定部１に通知する。センサータグ制御部１から、センサータグの出現、もしくは、消失がセンサータグ制御装置ＩＤ、センサータグＩＤと共に通知されると、エリア入退ルール管理部１を参照し、通知されたＩＤからセンサータグの入退場を判別し、判別結果をセンサー制御判定部１に通知する。
【００２２】
エリア入退ルール管理部１は、センサータグ制御装置ＩＤ毎に、検知種別、および、入退判別内容を管理する。図３では、センサータグ制御装置として、ゲート型リーダーライター１、および、２にまつわる、エリア入退ルールが図示されている。ゲート型リーダーライター１で、センサータグ出現を検知すると、検知したセンサータグは、入場であると判別される。ゲート型リーダーライター２で、センサータグ出現を検知すると、検知したセンサータグは、退場であると判別される。
【００２３】
図４では、センサータグ制御装置として、スマートシェルフ型リーダーライター１にまつわる、エリア入退ルールが図示されている。スマートシェルフ型リーダーライター１でセンサータグ出現を検知すると、検知したセンサータグは入場であると判別される。一方、スマートシェルフ型リーダーライター１でセンサータグ消失を検知すると、検知したセンサータグは退場であると判別される。
【００２４】
センサー制御判定部１は、エリア入退判定部１からセンサータグの入退場を通知されると、入退場したセンサータグ、もしくは、エリア内に存在するセンサータグ、に対する制御を決定する。センサータグが入場した場合、センサー制御判定部１が管理するエリア内センサータグ数を増やし、センサー制御ルール管理部１を参照し、エリア内センサータグ数の上限を超えていなければ、センサータグ制御部１に対して、入場したセンサータグのデータ測定開始を指示し、測定状態管理部１を更新する。上限を超えていた場合は、測定状態管理部１を更新するだけである。センサータグが退場した場合、エリア内センサータグ数を減らし、センサー制御判定部１に対して、退場したセンサータグのデータ測定停止を指示し、測定状態管理部１を更新する。
【００２５】
センサー制御ルール管理部１は、発明のシステムが対象とするエリアにおける、データ測定に使用するセンサータグの上限を管理する。図５では、対象エリアにおける上限が２であることが図示されている。また、各センサータグの環境データ測定周期を一緒に管理する。図５では、周期が２０秒であることが図示されている。
【００２６】
次に図６のシーケンス図を参照して、本発明の第１の実施の形態の動作について詳細に説明する。
【００２７】
まず、センサータグ制御部１が、センサータグ制御装置であるゲート型リーダーライター１を操作し、センサータグ１の出現を検知し、センサータグ制御装置のＩＤ、検知種別、および、検知したセンサータグのＩＤをそれぞれエリア入退管理部１に通知する（図６（１））。
【００２８】
次に、エリア入退判定部１がセンサータグ制御部１から、センサータグの出現が通知されると、エリア入退ルール管理部１を参照し、センサータグ制御装置にまつわる入退ルールを取得する（図６（２））。
【００２９】
さらに、エリア入退判定部１は、取得したルールに基づき、センサータグ１が入場したことをセンサー制御判定部１に通知する（図６（３））。
【００３０】
センサー制御判定部１は、エリア入退判定部１からセンサータグ１の入場を通知されると、センサー制御判定部１が管理するエリア内センサータグ数を０から１に増やす（図６（４））。
【００３１】
次に、センサー制御判定部１は、センサー制御ルール管理部１から上限２を取得する（図６（５））。
【００３２】
センサー制御判定部１は、エリア内センサータグ数 = １が、上限 = ２を超えていないかを判定し（図６（６））、入場したセンサータグのデータ測定開始をセンサー制御部１に要求する（図６（７））。
【００３３】
今、センサータグ１、２、および、３が、順番にゲート型リーダーライター１によって検知されると、上限が２のため、センサータグ３の測定は行われない。よって、それぞれのセンサータグでは、図７で示されるようなデータ測定が行われる。つまり、センサータグ１、および、２はＯＮとなるが、センサータグ３はＯＦＦのままである。いま、センサータグiが時刻tに測定したデータ値をSi(t)と表記する。また、時刻tにおける合成されたデータ値をC(t)とすると、C(t) = (S１(t) + S２(t)) / ２ と表記できる。
【００３４】
次に、本発明の第１の実施の形態の効果について説明する。
本発明の第１の実施の形態では、センサータグ制御部が自動的に検知したセンサータグの出現／消失を、エリア入退判定部が自動的にエリアへの入場／退場に変換し、センサー制御判定部に通知するように構成されているため、データ測定対象エリア内でデータ測定を行っているセンサータグ数をセンサー制御判定部が自動的に把握できる。また、本発明の第１の実施の形態では、さらに、センサー制御判定部が、指定された上限になるまで、センサータグのデータ測定を自動的に要求できる。なお、本実施の形態では、センサータグの入退場を、センサータグ制御装置を用いて自動的に検知していたが、別の入出庫管理システムを用いて検知させてもよい。
【００３５】
次に、本発明の第２の実施の形態について説明する。本実施の形態は、第１の実施の形態に従属し、センサータグ制御装置が、センサータグ入場時だけでなく、センサータグがエリア内に入ってしまった後でも、データ測定の開始を実現できる場合に適用できる。
【００３６】
本実施の形態の構成を図８に示す。第１の実施の形態と比較して、測定状態管理部１が追加されている。
【００３７】
測定状態管理部１は、当該エリア内に存在するそれぞれのセンサータグのデータ測定状態を管理する。図９は、エリア内にあるセンサータグ１、２、および、３が、それぞれ、計測中（ＯＮ）、計測中（ＯＮ）、計測していない（ＯＦＦ）ことを図示している。
【００３８】
センサー制御判定部１は、センサータグ制御部１にセンサータグのデータ測定開始、もしくは、停止を要求した後、測定状態管理部１を更新する。
【００３９】
図１０のシーケンス図を参照して、本発明の第２の実施の形態の動作について詳細に説明する。センサータグ１、２、および、３が、順番にゲート型リーダーライター１によって検知され、上限が２のため、センサータグ３のデータ測定が開始していない状況から説明を開始する。
【００４０】
まず、センサータグ制御部１が、センサータグ制御装置であるゲート型リーダーライター１を操作し、センサータグ１の消失を検知し、センサータグ制御装置のＩＤ、検知種別、および、検知したセンサータグのＩＤをそれぞれエリア入退管理部１に通知する（図１０（１））。
【００４１】
次に、エリア入退判定部１がセンサータグ制御部１から、センサータグの退場が通知されると、エリア入退ルール管理部１を参照し、センサータグ制御装置にまつわる入退ルールを取得する（図１０（２））。
【００４２】
さらに、エリア入退判定部１は、取得したルールに基づき、センサータグ１が退場したことをセンサー制御判定部１に通知する（図１０（３））。
【００４３】
センサー制御判定部１は、エリア入退判定部１からセンサータグ１の退場を通知されると、センサー制御判定部１が管理するエリア内センサータグ数を２から１に減らす（図１０（４））。
【００４４】
次に、センサー制御判定部１は、センサー制御ルール管理部１から上限２を取得する（図１０（５））。
【００４５】
センサー制御判定部１は、エリア内センサータグ数 = １が、上限 = ２を超えていないかを判定し（図１０（６））、上限を超えていない場合、測定状態管理部からデータ測定を行っていないセンサータグを取得する（図１０（７））。
【００４６】
センサー制御判定部１は、データ測定を行っていないセンサータグが存在するかどうかを判定し（図１０（８））、存在する場合、データ測定を行っていないセンサータグに対してデータ測定を要求する（図１０(９)）。
【００４７】
さらに、センサー制御部１は、測定状態管理部１を更新する（図１０（１０））。
【００４８】
測定状態管理部１では、図１１に示すように、センサータグ１が退場すると、センサータグ３がＯＮ（データ測定）になる。
【００４９】
第１の実施の形態では、センサータグ１が退場すると、センサータグ２だけがデータ測定を継続していた。一方、第２の実施の形態では、可能な限り、指定した上限に近いセンサータグ数で、データ測定を継続させることができる。このことにより、測定データの精度低減を防止できる。
【００５０】
次に、本発明の第３の実施の形態について説明する。本実施の形態は、第１、もしくは、第２の実施の形態に従属し、センサータグ制御装置が、センサータグ入場時だけでなく、センサータグがエリア内に入ってしまった後でも、データ測定の開始を実現できる場合であり、かつ、センサータグの故障を検知できる場合に適用できる。電池が消耗したことも故障に含める。
【００５１】
構成は第１、および、第２の実施の形態と同じだが、第２の実施の形態において、センサータグ退場時に行った、データ測定を開始していないエリア内センサータグへの操作と同様のことを、センサータグ故障検出時に実施する。例えば、センサータグ１、２、および、３が、順番にゲート型リーダーライター１によって検知され、上限が２のため、センサータグ３のデータ測定が開始していない状況において、センサータグ１が故障しても、センサータグ２、および、３でデータ測定を継続できる。このことにより、測定データの精度低減を防止できる。
【００５２】
次に、本発明の第４の実施の形態について説明する。第１の実施の形態では、上限を超えないように、データ測定を行うセンサータグを選択した。本実施の形態では、入場してくる全てのセンサータグにデータ測定を行わせるが、それぞれのデータ測定パターンを変更させる。
【００５３】
本発明の第４の実施の形態の構成は、図８に示される第２の実施の形態の構成と同じである。
【００５４】
センサー制御ルール管理部１は、エリア内センサータグ個数ごとに、データ測定パターンとして、パターン番号、データ測定開始時刻、データ測定周期、を管理している（図１２）。なお、測定パターンには、データ測定開始時刻、もしくは、データ測定周期、もしくはその両方、を用いることができる。
【００５５】
図１３のシーケンス図を参照して、本発明の第４の実施の形態の動作について詳細に説明する。
【００５６】
図１３における(１)から(３)までは、第１の実施の形態のシーケンス図６における（１）から（４）と同じため、説明を省略する。センサー制御判定部１が、エリア内センサータグ数を０から１に増やすと（図１３（４））、センサー制御判定部１はセンサー制御ルール管理部１から、センサータグ数１の場合のパターン１−１を取得する（図１３（５））。パターン１−１は、開始時刻０、周期１０秒となっている。センサー制御判定部１は、取得したパターンに応じて、センサータグ制御部１に対してデータ測定を要求する（図１３（６)）。
【００５７】
例えば、センサータグ１、２、および、３が、順番にゲート型リーダーライター１によって検知され、それぞれのセンサータグに、パターン１―１、パターン２―２、パターン３―３を適用してデータ測定をさせた場合、図１４のように各センサータグでデータを収集し、合成できる。合成された値はそれぞれ、C(０) = S１(０), C(１０) = [ S１(１０) + S２(１０) ] / ２、C(２０) = [ S１(２０) + S２(２０) + S３(２０) ] / ３、・・・、となっている。センサータグ２や３は１に比べて、測定周期が長くなっている。
【００５８】
本実施の形態では、エリア内センサータグ数に応じた測定パターンを予め用意することで、データ測定開始時刻、もしくは、データ測定周期、もしくは、その両方、を調整しながらデータ測定させることができる。データ測定開始時刻を調整すれば、データ測定時間の重なりをずらすことができる。データ測定周期を調整すれば、測定データを格納するための消費メモリー量や、測定動作、データ通知動作の消費電力を低減できる。
【００５９】
次に、本発明の第５の実施の形態について説明する。第４の実施の形態において、センサータグ数の上限を決めることで、妥当なデータ量を収集できる。
【００６０】
そのために、センサー制御ルール管理部１にセンサータグ数の上限を追加する。センサータグの入場があった場合、エリア内センサータグ数を更新し、センサータグ数が上限を超えていない場合には、測定パターンを検索し、入場センサータグに対するデータ測定を要求する。センサータグ数が上限を超えていれば、測定状態管理部を更新するのみとする。
【００６１】
もしくは、第４の実施の形態において、センサー制御ルール管理部には、上限となるセンサータグ数のパターンまでしか管理させない。センサー制御判別部１は、測定パターンを検索するとき、該当するセンサータグ数にまつわる測定パターンがなければ、センサータグのデータ測定開始は要求せず、測定状態管理部を更新するのみとする。
【００６２】
次に、本発明の第６の実施の形態について説明する。本実施の形態は、センサータグ制御装置が、センサータグ入場時だけでなく、センサータグがエリア内に入ってしまった後でも、データ測定の開始（正しくは、測定パターンの再設定）を実現できる場合に適用できる。また、センサータグの故障を検知する場合にも、適用できる。
【００６３】
第４、もしくは、第５の実施の形態では、各センサータグに適用される測定パターンが、現在のエリア内センサータグ数とずれていた。そこで、第６の実施の形態では、センサータグ数が増加、もしくは、減少した場合に、エリア内にすでに存在するセンサータグの測定パターンを変更することで、測定パターンのずれを直す。
【００６４】
本実施の形態の構成は図８で示される、第３の実施の形態と同じである。
【００６５】
測定状態管理部は、データ測定を行っているセンサータグＩＤと、そのセンサータグＩＤの測定パターン番号とを管理している。図１５では、センサータグ１が測定パターン１―１で動作しているところに、センサータグ２が入場し、センサータグ１の測定パターンを２―１に変更する様子を図示している。こうすることで、図１６に示すような測定データの合成が可能となる。
【００６６】
より適切なデータ測定の調整が行われるため、少ない資源（メモリ量、消費電力）で、より有用なデータを収集できるようになる。
【００６７】
次に、本発明の第７の実施の形態について図１７を参照して説明する。ひとつのシステムで複数のエリアを扱えるようにする。エリア入退判定部に、全てのセンサータグ制御部をつなげるやり方。入退ルール管理部、センサー制御ルール管理部、測定状態管理部、にそれぞれ「エリアＩＤ」が入ることになる。
【００６８】
次に、本発明の第８の実施の形態について図１８を参照して説明する。ひとつのシステムで複数のエリアを扱えるようにする、第７の実施の形態とは別の手法である。
【００６９】
センサータグ制御部、および、エリア入退判別部をエリアごとに配備し、センサー制御判別部を中央に置く手法である。
【００７０】
なお、上述する実施の形態は、本発明の好適な実施の形態であり、本発明の要旨を逸脱しない範囲内において種々変更実施が可能である。例えば、商品管理サーバ２０、無線通信機器４０、盗難防止サーバ７０、決済装置１００等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００７１】
本発明によれば、温度センサー、湿度センサー、炭酸ガスセンサ、衝撃センサー、などを使って、輸送されている商品の状況を監視する物流システムといった用途に適用できる。商品としては、生鮮物、医薬品、美術品、などが考えられる。また、資産管理、設備管理、生産管理といった用途にも適用可能である。
【図面の簡単な説明】
【００７２】
【図１】本発明の第１の実施の形態の概念を説明する図である。
【図２】本発明の第１の実施の形態のシステム構成を示す構成図である。
【図３】本発明の第１の実施の形態のエリア入退ルールを示す図である。
【図４】本発明の第１の実施の形態のエリア入退ルールを示す図である。
【図５】本発明の第１の実施の形態の処理動作を示す図である。
【図６】本発明の第１の実施の形態のシーケンス図である。
【図７】本発明の第１の実施の形態のデータ測定を説明する図である。
【図８】本発明の第２の実施の形態のシステム構成を示す構成図である。
【図９】本発明の第２の実施の形態のエリア内にあるセンサータグの様子を示す図である。
【図１０】本発明の第２の実施の形態のシーケンス図である。
【図１１】本発明の第２の実施の形態の測定状態管理部を示す図である。
【図１２】本発明の第４の実施の形態のセンサー制御ルール管理部を示す図である。
【図１３】本発明の第４の実施の形態のシーケンス図である。
【図１４】本発明の第４の実施の形態のデータ合成を説明する図である。
【図１５】本発明の第６の実施の形態の測定状態管理部を示す図である。
【図１６】本発明の第６の実施の形態のデータ合成を説明する図である。
【図１７】本発明の第７の実施の形態のシステム構成を示す構成図である。
【図１８】本発明の第８の実施の形態のシステム構成を示す構成図である。
【図１９】従来技術の一例を示す図である。
【図２０】従来技術の一例を示す図である。
【図２１】従来技術の一例を示す図である。
【図２２】従来技術の一例を示す図である。
【図１】
2008204202.tif 000003
【図２】
2008204202.tif 000004
【図３】
2008204202.tif 000005
【図４】
2008204202.tif 000006
【図５】
2008204202.tif 000007
【図６】
2008204202.tif 000008
【図７】
2008204202.tif 000009
【図８】
2008204202.tif 000010
【図９】
2008204202.tif 000011
【図１０】
2008204202.tif 000012
【図１１】
2008204202.tif 000013
【図１２】
2008204202.tif 000014
【図１３】
2008204202.tif 000015
【図１４】
2008204202.tif 000016
【図１５】
2008204202.tif 000017
【図１６】
2008204202.tif 000018
【図１７】
2008204202.tif 000019
【図１８】
2008204202.tif 000020
【図１９】
2008204202.tif 000021
【図２０】
2008204202.tif 000022
【図２１】
2008204202.tif 000023
【図２２】
2008204202.tif 000024